【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
基板と、
基板に接続され、非能動状態では実質的に未給電の回路と、
薄いフィルム層の直列にして形成され、かつ、基板に機械的に結合され、前記回路に給電するための薄いフィルムバッテリーと、および
スイッチが一旦動作すると、前記スイッチは、バッテリーを前記回路と電気的に通信させ、前記バッテリーが前記回路に給電するように、機械的に基板に結合され、かつ、作用的に結合された、加速度でイネーブルにされるスイッチを備えるシステム。
【請求項２】
加速度でイネーブルにされるスイッチは、MEMS装置である請求項１記載のシステム。
【請求項３】
加速度でイネーブルにされるスイッチは、少なくとも１つのカンチレバーのビームである請求項２記載のシステム。
【請求項４】
加速度でイネーブルにされるスイッチは、少なくとも１つのカンチレバーのビームおよび電気的コンタクトを含み、前記、少なくとも１つのカンチレバーのビームは、加速に応答して電気的コンタクトを接触させる請求項２記載のシステム。
【請求項５】
加速度でイネーブルにされるスイッチは、第１のカンチレバーのビームの閉スイッチと、第２のカンチレバーのビームの閉スイッチとを含む請求項２記載のシステム。
【請求項６】
第１のカンチレバーのビームの閉スイッチは、第１の機械的な特性に基づく第１の加速度に応答して電気的接触を形成し、そして、第２のカンチレバーのビームの閉スイッチは、第２の機械的な特性に基づく第２の加速度に応答して電気的接触を形成し、第１の加速度と第２の加速度は異なる請求項５記載のシステム。
【請求項７】
加速度でイネーブルにされるスイッチは、第１の機械的な特性に基づく第１の加速度に応答して第１の電気的接触を形成し、そして第２の機械的な特性に基づく第２の加速度に応答して第２の電気的接触を形成し、第１の加速度と第２の加速度は異なる請求項２記載のシステム。
【請求項８】
基板と、
前記基板に接続された回路と、
前記基板に接続され、かつ、前記回路に接続され、前記回路に給電するための薄いフィルムバッテリーと、および
前記回路を電気的に起動させるために、基板に接続された、加速度でイネーブルにされるスイッチとを備え、
加速度でイネーブルされるスイッチはMEMS装置であり、かつ、第１の加速度でイネーブルされるスイッチは、二つの異なる面の一方での加速度に応答して回路を異なって起動させるシステム。
【請求項９】
第１のカンチレバーのビームの閉スイッチは、第１の面での第１の加速度に応答して電気的接触を形成し、そして、第２のカンチレバーのビームの閉スイッチは、第２の面での第２の加速度に応答して電気的接触を形成する請求項１、２、５、８のいずれかに記載のシステム。
【請求項１０】
加速度でイネーブルにされるスイッチは、MEMS装置であり、前記MEMS装置は、
第１のカンチレバーのビームの閉スイッチと、
第２のカンチレバーのビームの閉スイッチとを含み、
第１のカンチレバーのビームの閉スイッチは、第１の大きさの加速度に応答して、第１の機械的特性に基づく電気的な接触を形成し、そして、第２のカンチレバーのビームの閉スイッチは、第１の大きさと異なる第２の大きさの加速度に応答して、第２の機械的特性に基づく電気的な接触を形成する請求項１記載のシステム。
【請求項１１】
第１のカンチレバーのビームの閉スイッチは、第１の長さを有し、第２カンチレバーのビームの閉スイッチは、第１の長さと異なる第２の長さを有する請求項１０記載のシステム。
【請求項１２】
第１のカンチレバーのビームの閉スイッチは、第１の質量を有し、第２カンチレバーのビームの閉スイッチは、第１の質量と異なる第２の質量を有する請求項１０記載のシステム。
【請求項１３】
第１のカンそチレバーのビームの閉スイッチは、第１の横断面幅を有し、第２カンチレバーのビームの閉スイッチは、第１の横断面幅と異なる第２の横断面幅を有する請求項１０記載のシステム。
【請求項１４】
加速度でイネーブルにされるスイッチは、MEMS装置であり、前記MEMS装置は、
第１のカンチレバーのビームの閉スイッチと、
第２のカンチレバーのビームの閉スイッチと、および
第３のカンチレバーのビームの閉スイッチとを備え、
第１のカンチレバーのビームの閉スイッチは、第１の加速度に応答して電気的な接触を形成し、第２のカンチレバーのビームの閉スイッチは、第２の加速度に応答して電気的な接触を形成し、第３のカンチレバーのビームの閉スイッチは、第３の加速度に応答して電気的な接触を形成し、第１の加速度は第１の方向であり、第２の加速度は第１の方向と異なる第２の方向であり、そして第３の加速度は、第１の方向及び第２の方向と異なる第３の方向である請求項１記載のシステム。
【請求項１５】
加速度でイネーブルにされるスイッチは、MEMS装置であり、前記MEMS装置は、
複数の異なる方向の各々における複数の異なる加速度の大きさに応答する複数のカンチレバーのビームの閉スイッチを含む請求項１記載のシステム。
【請求項１６】
３つの直交方向の各々における複数の異なる加速度の大きさに応答する複数のカンチレバーのビームの閉スイッチを含む請求項１記載のシステム。
【請求項１７】
本システムを製品に取り付けるのに適した粘着性裏面を更に備え、前記粘着性裏面は、除去層で覆われる請求項１記載のシステム。
【請求項１８】
バッテリーは基板上にスパッター形成される請求項１記載のシステム。
【請求項１９】
回路はバッテリー上に形成される請求項１８記載のシステム。
【請求項２０】
回路は基板上にスパッター形成される請求項１記載のシステム。
【請求項２１】
バッテリーは回路上にスパッター形成される請求項２０記載のシステム。
【請求項２２】
本システムは装置内に適用される請求項１記載のシステム。
【請求項２３】
装置はパッケージである請求項２２記載のシステム。
【請求項２４】
装置は弾薬に基づくものである請求項２２記載のシステム。
【請求項２５】
システムが装置に粘着的に取り付けられる箇所で、基板に取り付けられる粘着層を更に備える請求項２記載のシステム。
【請求項２６】
基板に取り付けられる粘着層を更に備える請求項２０記載のシステム。
【請求項２７】
タイマを更に備え、回路は、タイマによる特定時間での１つ以上のイベントを格納する請求項１記載のシステム。
【請求項２８】
タイマを更に備え、回路は、タイマを用いて、保証期間の開始を記録する請求項１記載のシステム。
【請求項２９】
タイマを更に備え、スイッチの起動に基づきタイマがスタートされる請求項１記載のシステム。
【請求項３０】
タイマを更に備え、タイマは、装置の保有期間を記録し、そして、保有期間の間に、特定のショック負荷が発生したかを決定する請求項１記載のシステム。
【請求項３１】
盗難防止装置を有するアイテムを更に備え、スイッチは、盗難防止装置を非動作化にするために通常使用される機構により、能動可能にされる請求項１記載のシステム。
【請求項３２】
盗難防止装置を有するアイテムを更に備え、スイッチは、盗難防止装置を非動作化にするために通常使用される機構により、能動可能にされ、そして、更に、回路は、スイッチの動作に基づき、自己診断テストを実行する請求項１記載のシステム。
【請求項３３】
タイマを更に備え、スイッチの動作時に自己テストを行い、その結果を記録し、そして、タイマによる保証期間の開始を記録する請求項１記載のシステム。
【請求項３４】
弾薬を更に備え、回路は、スイッチの起動時に弾薬の機能を制御できる請求項１記載のシステム。
【請求項３５】
弾薬を更に備え、回路は、スイッチの起動時に弾薬の機能を制御でき、前記弾薬は、砲丸である請求項１記載のシステム。
【請求項３６】
方向コントローラを有する弾薬を更に備え、回路は、スイッチの起動時に方向コントローラを用いて弾薬を指示するために動作できる請求項１記載のシステム。
【請求項３７】
薄いフィルムバッテリは、基板面上に連続的に堆積された薄いフィルム層として形成される請求項１記載のシステム。
【請求項３８】
加速度でイネーブルされるスイッチはMEMS装置であり、前記MEMS装置は、
第１のカンチレバーのビームの閉スイッチと、および
第２のカンチレバーのビームの閉スイッチとを含み、
第１のカンチレバーのビームの閉スイッチは、第１の方向での第１の加速度に応答して電気的接触を形成し、第２のカンチレバーのビームの閉スイッチは、第１の方向と異なる第２の方向での第２の加速度に応答して電気的接触を形成する請求項１記載のシステム。
【請求項３９】
基板と、
前記基板に接続された回路と、
前記基板に接続され、かつ、前記回路に接続され、前記回路に給電するための薄いフィルムバッテリーと、および
前記回路を電気的に起動させるために、基板に接続された、加速度でイネーブルにされるスイッチとを備え、
加速度でイネーブルされるスイッチはMEMS装置であり、そして、加速度でイネーブルされるスイッチは、第１のカイチレバーのビームの閉スイッチを含み、第１のカンチレバーのビームの閉スイッチは、第１の加速度に応答して電気的接触を形成し、
回路は更にタイマを含み、第１のカンチレバーのビームの閉スイッチが電気的接触を形成した時間が記録されるシステム。
【請求項４０】
基板と、
基板に接続された回路と、
基板に接続され、そして、回路に接続され、前記回路に給電するための薄いフィルムバッテリと、
回路を電気的に起動させるために、基板に接続された加速度でイネーブルにされるスイッチとを備えるシステムであり、
加速度でイネーブルされるスイッチは、MEMS装置であり、そして、加速度でイネーブルにされるスイッチは、
第１のカンチレバーのビームの閉スイッチと、および
第２のカンチレバーのビームの閉スイッチとを含み、
第１のカンチレバーのビームの閉スイッチは、第１の加速度に応答して電気的は接触を形成し、
第２のカンチレバーのビームの閉スイッチは、第１の加速度と異なる第２の加速度に応答して電気的は接触を形成し、
前記回路は、更にメモリとタイマとを含み、第１のカンチレバーのビームの閉スイッチが第１の加速度ら応答して電気的接触を形成した時の時間、第２のカンチレバーのビームの閉スイッチが第２の加速度に応答して電気的接触を形成した時の時間がメモリに記憶されるシステム。
【請求項４１】
第１のカンチレバーのビームの閉スイッチの他のものが第１の加速度に応答して電気的接触を形成した時の時間、または、第２のカンチレバーのビームの閉スイッチが第２の加速度に応答して電気的接触を形成した時の時間がメモリに記憶される請求項４０に記載のシステム。
【請求項４２】
本システムを製品に取り付けるのに適した粘着性裏面を更に備え、前記粘着性裏面は、除去層で覆われる請求項４０記載のシステム。
【請求項４３】
保証期間は第１の加速度に基づき開始される請求項４０記載のシステム。
【請求項４４】
第２の加速度に基づきショック発生の時間が記録される請求項４３記載のシステム。
【請求項４５】
本システムを製品に取り付けるのに適した粘着性裏面を更に備える請求項４０記載のシステム。
【手続補正２】
【補正対象書類名】明細書
【補正対象項目名】００９０
【補正方法】変更
【補正の内容】
【００９０】
いくつかの具体化では、ショック負荷で起動するスイッチ1330、1230または2030を含むシステムは、製品に直接取り付けることができるか、製品のパッケージに直接取り付けできる、剥ぎ取りラベルまたは出荷用ラベル内に含まれることができる。図１４Ａと１４Ｂ(スイッチは不図示)は、1230、1330、または2030などのようなショック負荷で起動されるスイッチを含むシステムを用いる二つの特定のラベルを示す。また、ショック負荷で起動されるスイッチ230, 1330, and 2030 は、加速度計と呼ばれるかもしれない。バッテリー、薄いフィルムのソリッドステートのバッテリー、加速度計またはエレクトロニクス910(図の９Ａと９Ｂで示す)は、図１４Ａで示した出荷ラベルか図１４Ｂで示した製品ラベルなどのラベルの一部として形成できる。それぞれのラベルは、プラットホームか、薄いフィルムのソリッドステートのバッテリー908(図９Ａと９Ｂで示す)、回路910(図9Ａと９Ｂで示す)および起動作用スイッチ930(図９Ａと９Ｂで示す)を含む1410、1410'を含む。
【手続補正３】
【補正対象書類名】明細書
【補正対象項目名】００９１
【補正方法】変更
【補正の内容】
【００９１】
いくつかの実施例で備えられたように、図１５は、プラットホームかシステム1520を含む。図１５は、バッテリー908、回路910、および、スイッチ1230か1330か2030(図１５では不図示)のような起動作用スイッチ930(図９Ａと９Ｂで示す)を含む弾丸または他の弾薬を示す。図１５は弾丸または弾薬1510を含む。弾丸か弾薬の中に収容されるのは、バッテリー908、回路910(図９Ａと９Ｂで示す)、および、起動作用スイッチまたは加速度計1230か、1330か、2030(図１５では不図示)を含むシステム又はプラットホームである。回路910は、マイクロプロセッサかマイクロコントローラ916(図９Ａと９Ｂで示す)を含むかもしれない。弾丸か弾薬1510は、参照番号1512を持つのが示されたものなどの１つのフィンか複数のフィンを含む。そのフィン1515は制御可能である。弾丸1510が撃たれるか、または加速されるとき、起動作用スイッチはシステム1520を非活性化された状態から活性状態に持って行く。１つ以上のフィン1512は、その後、弾薬をターゲットに向けるために、システム1520内のマイクロプロセッサまたはマイクロコントローラにより制御できる。バッテリー908と起動作用スイッチ930に取り付けた回路またはエレクトロニクス910が追加センサ1530を含むかもしれない。例えば、センサ1530は、熱を検出するための赤外線センサか、光を検出するための光起電性のユニットか、目標の別の特性を検出するためのある他のセンサであるかもしれない。システム1520を持っている弾丸か弾薬1510は、ライフル銃か手の銃から発火された弾丸を含む非常に小さいサイズか、または銃から放たれた非常に大きいサイズのものである。
【手続補正４】
【補正対象書類名】明細書
【補正対象項目名】０１７７
【補正方法】変更
【補正の内容】
【０１７７】
いくつかの具体化では、バッテリーは基板にスパッター形成され、そして、回路はバッテリー上に形成される。別の具体化では、回路は基板上にスパッテー形成され、そして、バッテリーは回路上にスパッター形成される。さらに別の具体化では、システムは、パッケージ、または弾薬などの装置の中に適応される。さらに別の具体化では、システムが装置に粘着的にて取り付けられる箇所で、粘着層が基板に取り付けられた。粘着層は基板に取り付けられた。
【手続補正５】
【補正対象書類名】明細書
【補正対象項目名】０１７８
【補正方法】変更
【補正の内容】
【０１７８】
いくつかの具体化は、基板、基板上に位置したおよび薄いフィルムバッテリーを含むシステムを含む。薄いフィルムバッテリーは更に、第１のリード、第１のリードと電気的に通信する第１の電気的コンタクト、および、第２のリードと電気的に通信する第２の電気的コンタクトを含む。そのシステムはまた、薄いフィルムバッテリーを第１の電気的コンタクトおよび第２の電気的コンタクトに電気的に接続するために、基板上の第１および第２のリードの１つに接続される起動作用スイッチを含む。粘着層は基板に取り付けられる。その起動作用スイッチは、加速度に応答して起動される。いくつかの具体化では、磁場に対応して起動作用スイッチは起動される。いくつかの具体化では、湿気に対応して起動作用スイッチは起動される。更に別具体化では、無線周波に対応して起動作用スイッチは起動される。更に別具体化では、圧力に対応して起動作用スイッチは起動される。更に別具体化では、光に対応して起動作用スイッチは起動される。また、システムは第１のリードと第２のリードに取り付けられたエレクトロニクスを含む。そのエレクトロニクスは基板にも関係している。いくつかの具体化では、エレクトロニクスは基板に取り付けられ、そして、薄いフィルムバッテリーはエレクトロニクスに取り付けられる。別の具体化では、薄いフィルムバッテリーは基板に取り付けられ、そして、エレクトロニクスの少なくとも一部は薄いフィルムバッテリーに取り付けられる。起動作用スイッチは、マイクロ電子工学の製作技術を使用することで形成される。いくつかの具体化は、薄いフィルムバッテリーを１セットのエレクトロニクスの通信状態にし、そして、給電されたエレクトロニクスを用いて弾薬を指示するための方法を含む。別の方法は、薄いフィルムバッテリーを、１セットのエレクトロニクスとの通信状態にするために、起動作用スイッチを起動させ、そして、保証のために給電されたエレクトロニクスを使用することで開始時刻を格納することを含む。いくつかの具体化では、起動作用スイッチは、選択されたレベルで起動作用スイッチを加速させることを含む。また、別の具体化では、その方法は、起動作用スイッチを起動させることに対応して、自己チェックを実行させ、自己チェックの結果を格納することを含む。他の具体化では、他の加速度は格納される。また、選択されたしきい値を上回る他の加速度に関連する時間が記録される。その時間への他の加速の時間は、荷主が起動作用スイッチを所持していたような他の期間に比較される。